(57)【要約】【課題】ロープ掛け金具とステップとに吊り上げ具を掛けることができないようにする。【解決手段】作業機１を覆うケーシング２の側板に形成した凹部６に設けられる輸送時固定用のロープ掛け金具１４を上方に向かって開放状の丸棒で構成するとともに、ケーシング２上部へのステップ１５を、ほぼ水平な上面１５ａと、凹部６の奥壁６ａに向かって下降する傾斜の下面１５ｂとを有して凹部６の両側壁６ｂ，６ｂに亘って設けられる足乗せ板で構成し、ロープ掛け金具１４には横方向にしかロープを掛けることができず、ステップ１５には、クレーンのフックやワイヤロープを掛けられないようにした。【選択図】　　図１
2004068604.tif 000002
【特許請求の範囲】
【請求項１】
エンジン及び該エンジンにより駆動される発電機等の動力供給源を覆うケーシングの側板に形成した凹部に、輸送時固定用のロープ掛け金具と、ケーシング上部へのステップとを設けた可搬式エンジン作業機において、前記ロープ掛け金具を上方に向かって開放状の丸棒で構成し、前記ステップを、ほぼ水平な上面と、前記凹部の奥壁に向かって下降する傾斜の下面とを有して凹部の両側壁に亘って設けられる足乗せ板で構成したことを特徴とする可搬式エンジン作業機の盗難防止装置。
【請求項２】
前記ロープ掛け金具が、最上段の足乗せ板上面に設けられていることを特徴とする請求項１記載の可搬式エンジン作業機の盗難防止装置。
【請求項３】
エンジン及び該エンジンにより駆動される発電機等の動力供給源を覆うケーシングの側板に形成した凹部に、輸送時固定用のロープ掛け金具と、ケーシング上部へのステップとを設けた可搬式エンジン作業機において、前記ロープ掛け金具とステップとを覆うカバー部材と、該カバー部材による閉塞状態を維持するロック機構とで構成されることを特徴とする可搬式エンジン作業機の盗難防止装置。
【請求項４】
エンジン及び該エンジンにより駆動される発電機等の動力供給源を覆うケーシングの側板に形成した凹部に、輸送時固定用のロープ掛け金具と、ケーシング上部へのステップとを設けた可搬式エンジン作業機において、前記ロープ掛け金具とステップとを覆うカバー部材を前記ケーシング内側からボルト固定することを特徴とする可搬式エンジン作業機の盗難防止装置。
【請求項５】
前記カバー部材に、足乗せ用の凹部が形成されていることを特徴とする請求項３記載の可搬式エンジン作業機の盗難防止装置。
【発明の詳細な説明】
【０００１】
【発明の属する技術分野】
本発明は、主として野外の建設現場等で使用される可搬式エンジン作業機の盗難防止装置に関する。
【０００２】
【従来の技術】
エンジンと、該エンジンにより駆動される発電機、ウエルダー、コンプレッサー、油圧ユニット等の動力供給源を搭載した可搬式エンジン作業機は、エンジンより発する騒音を低減するために、防音構造のケーシングにてエンジン及び動力供給源を覆っている。この作業機は、クレーン等にて吊り上げて移動可能なように、クレーンのフックやワイヤロープ等の吊り上げ具を掛けるためのバー状の吊り金具をケーシング上面に備えている。また、移動の際に、トラック等の荷台に作業機を固定するためのバー状のロープ掛け金具と、メンテナンス用としてのケーシング上部へのバー状のステップとをケーシングの側板に形成した凹部に設けている。
【０００３】
【発明が解決しようとする課題】
このように、バー状の吊り金具に吊り上げ具を掛けてクレーン等による簡単な荷吊り作業で作業機を移動できることから、小型のエンジン作業機であれば、クレーンを搭載したトラックで容易に持ち運びができ、トラックへの積載に時間がかからないため、小型のエンジン作業機を中心に盗難されるケースが増加している。このため、必要なとき以外は、吊り金具に吊り上げ具を掛けることができないようにしても、ロープ掛け金具とステップとが丸棒を凹部の両側壁に横架した構造のため、これらに吊り上げ具を掛けて吊り上げることが可能である。
【０００４】
そこで本発明は、ロープ掛け金具とステップとに吊り上げ具を掛けることができないようにした可搬式エンジン作業機の盗難防止装置を提供することを目的としている。
【０００５】
【課題を解決するための手段】
上記した目的を達成するため、本発明の可搬式エンジン作業機の盗難防止装置は、エンジン及び該エンジンにより駆動される発電機等の動力供給源を覆うケーシングの側板に形成した凹部に、輸送時固定用のロープ掛け金具と、ケーシング上部へのステップとを設けた可搬式エンジン作業機において、第１の手段は、前記ロープ掛け金具を上方に向かって開放状の丸棒で構成し、前記ステップを、ほぼ水平な上面と、前記凹部の奥壁に向かって下降する傾斜の下面とを有して凹部の両側壁に亘って設けられる足乗せ板で構成したことを特徴とし、第２の手段は、前記ロープ掛け金具とステップとを覆うカバー部材と、該カバー部材による閉塞状態を維持するロック機構とで構成されることを特徴とし、第２の手段は、前記ロープ掛け金具とステップとを覆うカバー部材を前記ケーシング内側からボルト固定することを特徴としている。また、第１の手段では、前記ロープ掛け金具を最上段の足乗せ板上面に設けることができ、第２，３の手段では、前記カバー部材に足乗せ用の凹部を形成してステップとすることができる。
【０００６】
【発明の実施の形態】
以下、本発明を図面に示される実施形態例に基づいて説明する。図１乃至図６は本発明の第１実施形態例を示すもので、可搬式エンジン作業機１は、エンジン及び該エンジンにより駆動される発電機等の動力供給源をケーシング２で覆っている。該ケーシング２には、天板３の中央部に横方向の凹部４が両側板５間に連続形成されるとともに、両側板５にも凹部４に連続する縦方向の凹部６がそれぞれ形成され、一方の側板５には、凹部６の両側に内部点検扉７，７が設けられている。
【０００７】
前記凹部４の中央部に両側壁４ａ，４ｂに横架される水平方向のバー８が吊り金具として設けられている。該バー８は、両側壁４ａ，４ｂ側をカバー９で覆われ、中央部分にクレーンのフックやワイヤロープ等の吊り上げ具を掛けることができるようになっており、この中央部分には、吊り上げ具の係合を阻止する閉塞部材１０が設けられている。この閉塞部材１０は、バー８を上方から覆う断面略逆コ字状で、バー８下方の空間を塞ぐ邪魔板部１０ａ，１０ａと、凹部４の底板４ｃに当接して閉塞部材１０の回り止めをするフランジ部１０ｂ，１０ｂと、邪魔板部１０ａ，１０ａとバー８間の隙間を狭くするスペーサー１０ｃとを有している。
【０００８】
また、両邪魔板部１０ａ，１０ａには、板状の鍵部材１１の挿通孔１０ｄがそれぞれ形成されている。さらに、一方の邪魔板部１０ａには、シリンダ錠１２が設けられ、該シリンダ錠１２のキープレート１２ａが鍵部材１１のスリット１１ａに係合するように回動可能となっている。この閉塞部材１０をバー８に被せてロック状態とすることにより、バー８下方の空間閉塞状態を維持でき、バー８への吊り上げ具の係合が阻止される。
【０００９】
前記凹部４と上下方向の仕切り板１３で仕切られた前記凹部６には、輸送時固定用のロープ掛け金具１４と、ケーシング２上部への３段のステップ１５とが設けられている。仕切り板１３は、上部１３ａをバー８方向へ折り曲げて吊り上げ具が掛からないようにするとともに、ケーシング２上部へ登る作業者が手を掛けやすいようにしている。ロープ掛け金具１４は、仕切り板１３の中央部分から凹部６の開口部へ向けて横方向に設けた丸棒を、凹部６から突出しない長さに上方へ折り曲げて上方が開放された形状としたもので、上方へ折り曲げられた部分にロープを掛けるようになっている。
【００１０】
各ステップ１５は、ほぼ水平な上面１５ａと、前記凹部６の奥壁６ａに向かって下降する傾斜の下面１５ｂとを有して凹部６の両側壁６ｂ，６ｃに亘って設けられる足乗せ板で構成されており、最上段のステップ１５の上面１５ａ上に密着して前記ロープ掛け金具１４が設けられている。また、各ステップ１５は、凹部６内に埋没する状態で設けられている。
【００１１】
この構成により、ロープ掛け金具１４が上方が開放された形状で、横方向にしかロープを掛けることができず、また、各ステップ１５の下面１５ｂが凹部６の奥壁６ａに向かって下降する傾斜なので、クレーンのフックを掛けることもできず、さらに、各ステップ１５が、凹部６の両側壁６ｂ，６ｃに亘って設けられているから、ワイヤロープを掛けることもできない。したがって、作業機１は、バー８の閉塞部材１０を取り外す以外に吊り上げることができないので、作業機１を移動させる必要がないときは、閉塞部材１０をバー８に装着しておくことにより盗難を阻止できる。
【００１２】
図７乃至図１２は本発明の第２実施形態例を示すものである。なお、以降の実施形態例において前記第１実施形態例と同一要素には同一の符号を付して説明する。作業機１は、天板３の凹部４に設けられたバー８には前記閉塞部材１０を装着しており、両側板５の凹部６には、奥壁６ａにＵ字状のロープ掛け金具１４を設けるとともに、両側壁６ｂ，６ｃに２段の丸棒状のステップ１５を横架し、凹部６最下部の底壁６ｄとで合計３段のステップとしている。
【００１３】
この凹部６には、前記ロープ掛け金具１４と各ステップ１５とを覆うカバー部材２０が設けられている。該カバー部材２０は、凹部６を覆う側カバー板２０ａと、該側カバー板２０ａの上部に屈曲して凹部４の一部を覆う上カバー板２０ｂとを有している。
【００１４】
側カバー板２０ａの下部は、下段のステップ１５下方で凹部６の奥壁６ａ方向に斜めに屈曲されて底部カバー板２０ｃとなり、さらにその先端には奥壁６ａに沿って上方へ屈曲するフランジ部２０ｄが形成されている。また、側カバー板２０ａの内側には、各ステップ１５への鉤状係止部２０ｅが設けられている。これら鉤状係止部２０ｅは、カバー部材２０を凹部６に装着した際に、ステップ１５に係止してカバー部材２０をバール等でこじ開けようとしても、カバー部材２０を外れにくくする。さらに、側カバー板２０ａの外側には、各ステップ１５の間に、足乗せ用の凹部２０ｆが形成されている。この凹部２０ｆは、下部はほぼ水平に、上部は凹部６の開口に向けて斜め上方に傾斜している。
【００１５】
上カバー板２０ｂの先端は、凹部４に横架された係止バー２１の上部に達する長さに形成され、先端よりやや手前の係止バー２１まで達しない位置に鍵板２２の係止板２０ｇを設けている。この係止板２０ｇは、鍵板２２に設けたシリンダ錠２３と相俟ってロック機構を構成する。
【００１６】
該係止板２０ｇには、鍵板２２のシリンダ錠２３のキープレート２３ａの挿入孔２０ｈと、鍵板２２のキープレート押さえ２２ａの挿入孔２０ｉとが設けられている。
【００１７】
鍵板２２は、係止バー２１上部の上カバー板２０ｂの先端を覆って係止バー２１を三方から囲む鉤状に形成された鉤状部２２ｂと、凹部４の空間を塞ぐカバー板部２２ｃと、凹部４の底壁４ｃに当接するフランジ部２２ｄとを有し、カバー板部２２ｃに前記シリンダ錠２３を設けるとともに、カバー板部２２ｃの内面に前記キープレート押さえ２２ａをＬ字状に設けている。
【００１８】
上述のように構成されたカバー部材２０の取り付けを説明する。先ず、カバー部材２０を凹部６に被せ、側カバー板２０ａの下部のフランジ部２０ｄに固設したナット２４に、内部点検扉７を開けてケーシング２の内側からボルト２５を螺着して下部を固定し、上カバー板２０ｂの先端を係止バー２１の上部に載置する。次に、鍵板２２を係止板２０ｇに当てて鉤状部２２ｂで係止バー２１を覆い、挿入孔２０ｈにキープレート２３ａを、挿入孔２０ｉにキープレート押さえ２２ａを挿入し、係止板２０ｇの背面とキープレート押さえ２２ａとの間に隙間を形成し、この隙間にシリンダ錠２３のキープレート２３ａを回動して、キープレート２３ａを挿入孔２０ｉの背面に位置させる。なお、内部点検扉７は、上述のボルト固定終了後施錠する。
【００１９】
これにより、カバー部材２０は、ロープ掛け金具１４と各ステップ１５とを覆って凹部６の閉塞状態を維持する。この状態で、鍵板２２をバール等で捲ろうとしても、キープレート２３ａが係止板２０ｇの背面に面接触することになるので、鍵板２２を捲ることは困難である。さらに、鍵板２２の外側から係止板２０ｇに固設されたナット２６にボルト２７を螺着することにより、カバー部材２０は強固に取り付けられる。このカバー部材２０は、足乗せ用の凹部２０ｆが形成されているから、凹部６最下部の底壁６ｄと凹部２０ｆを利用してケーシング２の上部へ登ることができる。
【００２０】
したがって、輸送時以外は、バー８に閉塞部材１０を装着するとともに、凹部６にカバー部材２０を装着することによって、バー８、ロープ掛け金具１４及び各ステップ１５に吊り上げ具を掛けることができないので盗難を阻止できる。
【００２１】
図１３及び図１４はロック機構の別実施形態例を示すもので、上カバー板２０ｂの内側にＬ字状の係止板２０ｊを設けるとともに、該係止板２０ｊに、キープレート２３ａの係合スリット２２ｋと南京錠２８の取付孔２２ｍを形成する。一方、鍵板２２にキープレート押さえ２２ａを左右一対設けるとともに、両キープレート押さえ２２ａ，２２ａの間に係止板２０ｊの先端を挿通するスリット２２ｅを形成する。
【００２２】
この構成では、係止板２０ｊの先端をスリット２２ｅから突出させて鍵板２２をセットし、シリンダ錠２３のキープレート２３ａを回動して、キープレート２３ａを、係止板２０ｊの係合スリット２２ｋに挿入して施錠し、さらに、鍵板２２から突出する係止板２０ｊ先端の取付孔２２ｍに南京錠２８を施錠する。
【００２３】
図１５及び図１６は本発明の第３実施形態例を示すもので、本実施形態例は、第２実施形態例と同様に、カバー部材３０にて凹部６のロープ掛け金具１４と各ステップ１５とを覆うもので、カバー部材３０は、凹部６を覆う側カバー板３０ａと、該側カバー板３０ａの上部に屈曲して凹部４の一部を覆う上カバー板３０ｂとを有し、側カバー板３０ａの下部に斜めに屈曲された底部カバー板３０ｃの先端に、凹部６の奥壁６ａに形成されたスリット３１に差し込まれて奥壁６ａの内側下方へ向かうフランジ部３０ｄを形成するとともに、上カバー板３０ｂを凹部４の底板４ｃ方向に９０度屈曲して側カバー板３０ａと対向するカバー板３０ｅを連続し、該カバー板３０ｅの先端を底板４ｃに沿うようにさらに９０度側カバー板３０ａ方向に屈曲して止め板３０ｆを形成している。また、側カバー板３０ａには、内側に各ステップ１５への鉤状係止部３０ｇが、外側に足乗せ用の凹部３０ｈをそれぞれ形成し、下段の鉤状係止部３０ｇに凹部３０ｈに上部を突出する鉛直状のロープ掛け金具３０ｉを設けている。さらに、止め板３０ｆの上面にナット３２を固設している。
【００２４】
このカバー部材３０は、フランジ部３０ｄを凹部６の奥壁６ａのスリット３１に差し込み、鉤状係止部３０ｇを各ステップ１５に係止してロープ掛け金具１４と各ステップ１５とを覆い、施錠可能な内部点検扉７を開けてケーシング２の内側からボルト３３を前記底板４ｃに挿通して前記ナット３２に螺着し、内部点検扉７を締めて施錠する。これにより、凹部６のロープ掛け金具１４と各ステップ１５とがカバー部材３０で覆われ、吊り上げ具を掛けることができないので盗難を阻止できる。また、輸送時には、ロープ掛け金具３０ｉにロープを掛けて作業機を固定できる。
【００２５】
【発明の効果】
以上説明したように、本発明の可搬式エンジン作業機の盗難防止装置は、ロープ掛け金具とステップとに吊り上げ具を掛けることができないようにしたから、作業機の盗難を未然に防ぐことができる。
【図面の簡単な説明】
【図１】第１実施形態例を示す作業機の側面図
【図２】同じく作業機側部の凹部を示す拡大断面図
【図３】同じく作業機の平面図
【図４】同じく作業機上部の凹部を示す拡大断面図
【図５】同じく作業機上部の凹部を示す拡大平面図
【図６】バー８の閉塞部材１０の正面図
【図７】第２実施形態例の作業機の一部断面図
【図８】同じくカバー部材の正面図
【図９】同じく作業機上部の凹部を示す平面図
【図１０】鍵板２２の正面図
【図１１】ロック機構の断面側面図
【図１２】ロック機構の断面平面図
【図１３】ロック機構の別実施形態例を示す断面側面図
【図１４】ロック機構の別実施形態例を示す断面平面図
【図１５】第３実施形態例のカバー部材を示す図１６のＸＶ−ＸＶ断面図
【図１６】同じく平面図
【符号の説明】
１…可搬式エンジン作業機、２…ケーシング、３…天板、４…凹部、５…側板、６…凹部、１４…ロープ掛け金具、１５…ステップ、１５ａ…ステップ１５の上面、１５ｂ…ステップ１５の下面、２０，３０…カバー部材、２２…鍵板、２３…シリンダ錠、３２…ナット、３３…ボルト
【図１】
2004068604.tif 000003
【図２】
2004068604.tif 000004
【図３】
2004068604.tif 000005
【図４】
2004068604.tif 000006
【図５】
2004068604.tif 000007
【図６】
2004068604.tif 000008
【図７】
2004068604.tif 000009
【図８】
2004068604.tif 000010
【図９】
2004068604.tif 000011
【図１０】
2004068604.tif 000012
【図１１】
2004068604.tif 000013
【図１２】
2004068604.tif 000014
【図１３】
2004068604.tif 000015
【図１４】
2004068604.tif 000016
【図１５】
2004068604.tif 000017
【図１６】
2004068604.tif 000018